(57)【要約】【課題】  自転車用の夜間走行時、および雨具着用の夜間走行時の安全性を高め、不意の雨にも対処できるようにする。【解決手段】  自転車のヘッドチューブのすぐ前方に自転車用前面化粧板を設け、縦はハンドルの位置位から下は前輪より少し上か、前輪を跨ぐようにしてやや長くとり、横はハンドル幅より小さくし、ハンドルに固定、ハンドルと共に動き、本体を布を除く合成樹脂材、アルミ、金属材等で成型、表面に蛍光塗料を塗布するか反射板等を用い、夜間走行時に対向車に感知させ、化粧板と雨具相互にチャック等の雨具繋止具を付け、パネル裏面部に雨具を収納できるようにしたことを特徴とする雨具繋止具付安全標示前面化粧板とする。化粧板全体を人、人の顔、動物、などをイメージし、デザインすることで装着意欲を喚起する。【選択図】        図１
2010228587.tif 000002
【特許請求の範囲】
【請求項１】
自転車のヘッドチューブの前方に設けた自転車用前面化粧板で、やや湾曲したパネルとし、縦はハンドル位置位の高さから下は前輪より少し上とするか、前輪を跨ぐようにして下方にやや長く取り、横はハンドル幅より小さくし、上部は自転車のハンドルに、下部はヘッドチューブもしくはフロントフォークに取り付け、ハンドルと共に動き、本体は布を除く合成樹脂材、アルミ材、金属材等で成型、表面に蛍光塗料を塗布するか発光体、反射板、電球等を用い、夜間走行時に対向車に感知させるようにしたもので、併せて左、右サイド、上部に雨具を繋止するチャック、マジックテープ（登録商標）、ファスナ等の雨具繋止具を有し、パネル裏面部に雨具を収納できるようにしたことを特徴とする自転車用雨具繋止具付安全標示前面化粧板。
【請求項２】
安全標示前面化粧板全体をお面のような形とし、漫画のキャラクター、人、人の顔、動物、乗り物などをイメージ、デザインした請求項１の自転車用雨具繋止具付安全標示前面化粧板。
【発明の詳細な説明】
【技術分野】
【０００１】
本発明は、夜間走行の安全性を向上するため自転車に装着する自転車用雨具繋止具付安全標示前面化粧板で自転車の付属部品に関する。
【背景技術】
【０００２】
自転車の前面に装着するカバー、板は防雨・防風用のカバー、ハンドルのカバー等がある。特開２００６−２３２１３１で発案した防雨カバーがあるが、防雨を目的としているため脚全体を覆う必要でカバーサイズが大きくなり、通常走行時風に煽られる欠点がある。特に夜間走行時雨具着用は危険性が増す。また自転車車体フレームにカバーを装着するためハンドル、前輪の動作に対してあたらないよう形が制限され、取り付けがやや複雑になりヘッドチューブ前に固定したものと構造的に大きな相違がある。防風用としてハンドルグリップとハンドル全体を覆うハンドルフードが実公平４−２１３０９で発案されているが風防を目的としており、両サイドのハンドルグリップ部とハンドル全体を包むためハンドル幅より大きいカバーになる。自転車の夜間走行時の安全を図るのに、自転車用発電機や乾電池を用いた夜間照明装置、ペダル等に蛍光塗料、反射板を設け、対向車に感知させているが、雨天時の夜間では、対向する車に感知させるには不充分である。運転者が蛍光帯を着用し補うなどの工夫をしている。また従来の雨具では風の煽りで雨に濡れること、べたつくなどの不快さから雨具着用を嫌い、傘を差して運転する人がいる。防雨カバーや上記ハンドルカバーとしては小さく充分に役立たない、風の抵抗を少なくした、自転車のオシャレを目的として自転車のヘッドチューブ前に取り付けた化粧板は今までない。化粧板に蛍光塗料を塗布するか反射板等を備え、夜間走行時、雨天時に対向車に広く感知させ安全性を向上した機能を持つもの、その機能に追加して雨具を繋止できるようにしたもの、雨具を収納したものはない。カバーなどをハンドル幅より小さくし、風の抵抗を少なくしても目的がないと自転車前面につけるには抵抗がある。夜間走行の安全性を第一とし、この概念を打ち破るため人、人の顔、動物、鳥、漫画のキャラクター等をデザインし、自転車に個性を持たせ、装着意欲を喚起するようにした安全標示兼自転車前面化粧板はない。
【先行技術文献】
【特許文献】
【０００３】
【特許文献１】特開２００６−２３２１３１
【特許文献２】実公平４−２１３０９
【発明の概要】
【発明が解決しようとする課題】
【０００４】
自転車の夜間走行時の安全を図るのに、自転車用発電機や乾電池を用いた夜間照明装置、ペダル等に蛍光塗料を塗布するか反射板を設け、対向車に感知させているが、現状では雨天時、対向する車に知らせるには不充分である。運転者が蛍光帯を着用し補うなどの工夫をしているが不便である。傘差し運転など、夜間走行はなおさら危険である。夜間走行の安全性、雨具着用の夜間走行の安全性をさらに向上させ、併せて従来の雨具着用の不快さを解消、不意の雨にも対処できるようにした安全標示前面化粧板を開発する。風の抵抗を考えてしまい自転車のヘッドチューブの前方に置く前面パネルなどをつけようとしないのが普通であるが安全性を第一とするため、この概念を崩して装着意欲を喚起するようにする。
【課題を解決するための手段】
【０００５】
自転車のヘッドチューブの前方に設けた自転車用前面化粧板で、やや湾曲したパネルとし、縦はハンドル位置位の高さから下は前輪より少し上か、前輪を跨ぐようにして下方にやや長く取り、横はハンドル幅より小さくし、上部は自転車のハンドルに、下部はヘッドチューブもしくはフロントフォークに取り付け、ハンドルと共に動き、本体は布を除く合成樹脂材、アルミ材、金属材等で成型、表面に蛍光塗料を塗布するか発光体、反射板、電球等を用い、夜間走行時に対向車に感知させるようにしたもので、併せて左、右サイド、上部に雨具を繋止するチャック、マジックテープ（登録商標）、ファスナ等の雨具繋止具を有し、パネル裏面部に雨具を収納できるようにしたことを特徴とする自転車用雨具繋止具付安全標示前面化粧板を自転車に装着する。
【０００６】
安全標示前面化粧板全体をお面のような形とし、漫画のキャラクター、人、人の顔、動物、乗り物などをイメージ、デザインした請求項１の自転車用雨具繋止具付安全標示前面化粧板にすることにより装着意欲を喚起させる。
【発明の効果】
【０００７】
自転車前面に蛍光塗料を塗布するか反射板等を用いた安全標示前面化粧板を取り付けることで夜間走行時、今までより対向車に感知させることができる。さらに雨具を常備できるので不意の雨でも心配なく、簡単に確実に防雨ができ、雨具使用時のわずらわしさや不快感を解消するため便利になり、傘をさして走行する人が減り、危険性が少なくなる。またキャラクター、デザインによって装着を楽しめる。
【図面の簡単な説明】
【０００８】
【図１】自転車安全標示前面化粧板を自転車に装着した図。
【図２】自転車用安全標示前化粧板の裏面に雨具を収納、繋止具を付けた図。
【図３】請求項２の参考デザイン。
【発明を実施するための形態】
【０００９】
図１のように自転車のヘッドチューブの前方に設けた自転車用前面化粧板で、やや湾曲したパネルとし、縦はハンドル位置位の高さから下は前輪より少し上か、前輪を跨ぐようにして下方にやや長く取り、横はハンドル幅より小さくし、上部は自転車のハンドルに、下部はヘッドチューブもしくはフロントフォークに取り付け、ハンドルと共に動き、本体は布を除く合成樹脂材、アルミ材、金属材等で成型、表面に蛍光塗料を塗布するか発光体、反射板、電球等を用い、夜間走行時に対向車に感知させるようにしたもので、併せて左、右サイド、上部に雨具を繋止するチャック、マジックテープ（登録商標）、ファスナ等の雨具繋止具を有し、パネル裏面部に雨具を収納できるようにしたことを特徴とする自転車用雨具繋止具付安全標示前面化粧板とする。化粧板固定はバンド等の簡易に取り付け取り外せる固定具を用いるようにする。風が強い時、簡易に取り外せ、荷台部分に仮固定もできる。前面荷籠取り付け部品が邪魔になるが、その部分に穴（１７）を開けるか、安全標示前面化粧板本体下部に図２（１５）のような切り込みを入れ、上から押し入れて取り付けるなどの方法がある。前輪を跨ぐように製作すると防雨にやや効果的である。雨具はハンドグリップまで覆うような自転車用雨具にすると手が濡れないで済む。雨具は簡易に着脱できるので自転車用雨具を取り外せばそのまま雨具となり、自転車用雨具を自転車に取り付けたままにするとサドルのカバーになる。再度雨具を被ることで簡単に雨天走行できる。バックミラーがあるときを考え、雨具は左、右、上部と個々に繋止するようにするとよい。
【００１０】
安全標示前面化粧板全体をお面のような形とし、漫画のキャラクター、人、人の顔、動物、乗り物などをイメージ、デザインした請求項１の自転車用雨具繋止具付安全標示前面化粧板とする。現代人はキャラクターが好きで自転車車体にデザインできることから風による少々の抵抗がある化粧板を装着しようとする意欲が出ると考える。
【産業上の利用可能性】
【００１１】
本発明による自転車用の安全標示前面化粧板は、夜間走行時の安全性を高め、さらに不意の雨でも雨具を取り出し、対応できるので利用する人が増え、自転車で傘を差して運転する人が減少し、危険性を回避できると思われる。また工業的にも量産することが可能であるため、産業上の利用可能性を有する。  
【符号の説明】
【００１２】
１  自転車用の安全標示前面化粧板
２  ハンドル固定、止め器具
３  ハンドルグリップ部
４  ハンドル
５  ハンドル軸
６  自転車車体フレーム
７  前輪泥除けステー
８  自転車用雨具収納部
９  自転車フロントフォーク
１０  光反射板など
１１  蛍光物質など
１２  チャック、マジックテープ（登録商標）、ファスナ等の繋止具
１３  自転車フロントフォーク、またはヘッドチューブ部固定器具
１４  自転車用の前面化粧板裏面部
１５  自転車前輪跨ぎ部または前面荷物籠用取り付け部切り込み
１６  ヘッドチューブ
１７  前面荷物籠用取り付け部用穴
【図１】
2010228587.tif 000003
【図２】
2010228587.tif 000004
【図３】
2010228587.tif 000005